【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
電子ディスプレイ上にテキストを表示する方法であって、前記テキストは複数の個々の表示要素に分割可能であり、前記複数の個々の表示要素のうち少なくともいずれかは個々の単語に対応し、前記単語は１以上の文字の認識可能セットを含み、前記単語の少なくともいずれかは最適認識位置を有し、前記方法は、
前記電子ディスプレイ上で、前記複数の個々の表示要素のうち少なくともいずれかの前記最適認識位置が前記電子ディスプレイ上の実質的に同一位置（固定表示位置）に表示されるように、前記複数の個々の表示要素を順次表示するステップを有し、
前記表示要素の少なくともいずれかは、前記電子ディスプレイの読み手の視点に沿って前記固定表示位置が前記表示要素の中央から開始位置に向かってオフセットするように表示される
ことを特徴とする方法。
【請求項２】
前記表示要素の少なくともいずれかは、３文字超の長さを有する表示要素を含む
ことを特徴とする請求項１記載の方法。
【請求項３】
前記表示要素の少なくともいずれかは、４文字超の長さを有する表示要素を含む
ことを特徴とする請求項１記載の方法。
【請求項４】
前記方法は、前記固定表示位置をマークする視覚補助を提供するステップをさらに有する
ことを特徴とする請求項１記載の方法。
【請求項５】
前記視覚補助は、前記固定表示位置の上側および下側の垂直線を有する
ことを特徴とする請求項４記載の方法。
【請求項６】
前記視覚補助を提供するステップは、前記固定表示位置に表示される文字についてその他文字とは異なる色フォントを用いるステップを有する
ことを特徴とする請求項４記載の方法。
【請求項７】
前記文字は、アルファベット文字、数字、記号を含むグループのなかの少なくともいずれかである
ことを特徴とする請求項１記載の方法。
【請求項８】
前記最適認識位置は、表示要素内の文字（最適認識位置文字）として識別され、
前記最適認識位置文字は、前記固定表示位置に表示される
ことを特徴とする請求項１記載の方法。
【請求項９】
前記表示要素内の総文字数は、３、４、または５であり、
前記最適認識位置文字は、前記表示要素内の２番目の文字である
ことを特徴とする請求項８記載の方法。
【請求項１０】
前記表示要素内の総文字数は、６、７、８、または９であり、
前記最適認識位置文字は、前記表示要素内の３番目の文字である
ことを特徴とする請求項８記載の方法。
【請求項１１】
前記表示要素内の総文字数は、１０、１１、１２、または１３であり、
前記最適認識位置文字は、前記表示要素内の４番目の文字である
ことを特徴とする請求項８記載の方法。
【請求項１２】
前記テキストは、少なくとも単語と文にパースされ、
前記方法はさらに、第１文の終端と第２文の開始との間のブランク要素を、少なくとも部分的に前記第１文の単語数に基づき定められる表示時間だけ表示するステップを有する  ことを特徴とする請求項１記載の方法。
【請求項１３】
前記第１文内の単語数が第１所定数以下である場合、前記ブランク要素の表示時間は第１量であり、
前記第１文内の単語数が前記第１所定数超である場合、前記ブランク要素の表示時間は少なくとも第２量であり、前記第２量は前記第１量よりも大きい
ことを特徴とする請求項１２記載の方法。
【請求項１４】
前記単語数が第２所定数超である場合、前記ブランク要素の表示時間は少なくとも第３量であり、
前記第３量は前記第２量よりも大きく、前記第２所定数は前記第１所定数よりも大きい  ことを特徴とする請求項１３記載の方法。
【請求項１５】
前記第１所定数は１２であり、前記第２所定数は２２である
ことを特徴とする請求項１４記載の方法。
【請求項１６】
１３文字超の単語は、少なくとも第１および第２表示要素へ分割され、前記第１表示要素は前記単語の第１部分とハイフンを含み、前記第２表示要素は前記単語の第２部分を含み、前記方法はさらに、
前記第１表示要素と前記第２表示要素を順次表示するステップを有する
ことを特徴とする請求項１記載の方法。
【請求項１７】
テキストデータを処理して電子ディスプレイ上におけるシリアルテキスト提示のために用いることができる処理済テキストを取得する、コンピュータ実装された方法であって、前記方法の各ステップは１以上のコンピュータを使用し、前記方法は、
前記テキストデータをパースして少なくとも単語と文を識別するステップ、
前記テキストデータから識別した個々の単語を表示するための個々の表示要素を生成するステップ、
個々の表示データを個々の前記表示要素と対応付けるステップであって、個々の前記表示データは、個々の前記表示要素のうち少なくともいずれかについて最適認識位置が前記電子ディスプレイ上の同一位置（固定表示位置）に表示されるように個々の前記表示要素を表示するために用いることができる、ステップ、
前記電子ディスプレイ上で個々の前記表示要素を表示するために個々の前記表示要素と個々の前記表示データを電子通信するステップ、
を有することを特徴とする方法。
【請求項１８】
前記表示要素の少なくともいずれかは、３文字超の長さを有する表示要素を含む
ことを特徴とする請求項１７記載の方法。
【請求項１９】
前記表示要素の少なくともいずれかは、４文字超の長さを有する表示要素を含む
ことを特徴とする請求項１７記載の方法。
【請求項２０】
複数のブランク要素を生成するステップであって、前記ブランク要素は第１文の終端と第２文の開始との間に表示される、ステップ、
前記第１文の単語数を判定するステップ、
前記第１文の単語数を用いて前記ブランク要素の相対表示時間パラメータを判定するステップであって、前記第１文の単語数が第１所定数以下である場合は前記ブランク要素の相対表示時間は第１量であり、前記第１文の単語数が前記第１所定数よりも多い場合は前記ブランク要素の相対表示時間は少なくとも第２量であり、前記第２量は前記第１量よりも大きい、ステップ、
前記ブランク要素と前記ブランク要素の前記相対表示時間パラメータをデータセットに対して追加し、前記ブランク要素を前記ブランク要素の前記相対表示時間パラメータと対応付けるステップ、
を有することを特徴とする請求項１７記載の方法。
【請求項２１】
前記第１文の単語数が第２所定数超である場合、前記ブランク要素の前記相対表示時間は少なくとも第３量であり、
前記第３量は前記第２量よりも大きく、前記第２所定数は前記第１所定数よりも大きい  ことを特徴とする請求項２０記載の方法。
【請求項２２】
前記第１所定数は１２であり、前記第２所定数は２２である
ことを特徴とする請求項２１記載の方法。
【請求項２３】
前記表示データは、前記表示要素の最適認識位置文字を識別するデータを含み、
前記最適認識位置文字は、前記固定表示位置に表示される
ことを特徴とする請求項１７記載の方法。
【請求項２４】
前記表示要素内の総文字数は、３、４、または５であり、
前記最適認識位置文字は、前記表示要素内の２番目の文字である
ことを特徴とする請求項２３記載の方法。
【請求項２５】
前記表示要素内の総文字数は、６、７、８、または９であり、
前記最適認識位置文字は、前記表示要素内の３番目の文字である
ことを特徴とする請求項２４記載の方法。
【請求項２６】
前記表示要素内の総文字数は、１０、１１、１２、または１３であり、
前記最適認識位置文字は、前記表示要素内の４番目の文字である
ことを特徴とする請求項２３記載の方法。
【請求項２７】
個々の前記表示要素を生成するステップは、１３文字超の単語を少なくとも第１および第２表示要素へ分割するステップであって、前記第１表示要素は前記単語の第１部分とハイフンを含み、前記第２表示要素は前記単語の第２部分を含む、ステップを有する
ことを特徴とする請求項１７記載の方法。
【請求項２８】
電子ディスプレイ上にテキストを表示するコンピュータプログラム製品であって、前記コンピュータプログラム製品は、コンピュータ読取可能媒体に格納された実行可能命令を備え、前記テキストは複数の表示要素に分割可能であり、前記複数の表示要素のうち少なくともいずれかは単語に対応し、前記単語は１以上の文字の認識可能セットを含み、前記単語の少なくともいずれかは最適認識位置を有し、前記実行可能命令は、
前記電子ディスプレイ上で、前記複数の表示要素のうち少なくともいずれかの前記最適認識位置が前記電子ディスプレイ上の実質的に同一位置（固定表示位置）に表示されるように、前記複数の表示要素を順次表示するステップを有し、
前記表示要素のうち少なくとも４文字超のものについては、前記電子ディスプレイの読み手の視点に沿って前記固定表示位置が前記表示要素の中央から開始位置に向かってオフセットするように表示される
ことを特徴とするコンピュータプログラム製品。
【請求項２９】
前記表示要素の少なくともいずれかは、３文字超の長さを有する表示要素を含む
ことを特徴とする請求項２８記載のコンピュータプログラム製品。
【請求項３０】
前記表示要素の少なくともいずれかは、４文字超の長さを有する表示要素を含む
ことを特徴とする請求項２８記載のコンピュータプログラム製品。
【請求項３１】
前記命令は、前記固定表示位置をマークする視覚補助を提供するステップをさらに有する
ことを特徴とする請求項２８記載のコンピュータプログラム製品。
【請求項３２】
前記視覚補助は、前記固定表示位置の上側および下側の垂直線を有する
ことを特徴とする請求項２８記載のコンピュータプログラム製品。
【請求項３３】
前記文字は、アルファベット文字、数字、記号を含むグループのなかの少なくともいずれかである
ことを特徴とする請求項２８記載のコンピュータプログラム製品。
【請求項３４】
前記命令は、前記最適認識位置を表示要素内の文字（最適認識位置文字）として識別するステップを有し、
前記命令は、前記最適認識位置文字を前記固定表示位置に表示するステップを有する
ことを特徴とする請求項２８記載のコンピュータプログラム製品。
【請求項３５】
前記表示要素内の総文字数は、３、４、または５であり、
前記命令は、前記最適認識位置文字を前記表示要素内の２番目の文字として認識する
ことを特徴とする請求項３４記載のコンピュータプログラム製品。
【請求項３６】
前記表示要素内の総文字数は、６、７、８、または９であり、
前記命令は、前記最適認識位置文字を前記表示要素内の３番目の文字として認識する
ことを特徴とする請求項３４記載のコンピュータプログラム製品。
【請求項３７】
前記表示要素内の総文字数は、１０、１１、１２、または１３であり、
前記命令は、前記最適認識位置文字を前記表示要素内の４番目の文字として認識する
ことを特徴とする請求項３４記載のコンピュータプログラム製品。
【請求項３８】
電子ディスプレイ、
テキストデータの単語を順次表示するように構成されたディスプレイプロセッサであって、前記単語のうち少なくともいずれかは、前記電子ディスプレイ上の固定表示位置に表示される最適認識位置とともに表示され、前記固定表示位置は、前記単語が表示されるときの開始位置に向かって前記単語の中央からオフセットされている、ディスプレイプロセッサ、
を備えることを特徴とするディスプレイ装置。
【請求項３９】
前記単語の少なくともいずれかは、３文字超の長さを有する
ことを特徴とする請求項３８記載のディスプレイ装置。
【請求項４０】
前記単語の少なくともいずれかは、４文字超の長さを有する
ことを特徴とする請求項３８記載のディスプレイ装置。
【請求項４１】
前記単語の最適認識位置は、前記単語の特定文字として認識される
ことを特徴とする請求項３８記載のディスプレイ装置。
【請求項４２】
前記単語の最適認識位置は、前記単語の全ピクセル幅に対する比率位置として認識される
ことを特徴とする請求項３８記載のディスプレイ装置。
【請求項４３】
電子ディスプレイ上にテキストデータの単語を順次表示する手段、
前記単語の最適認識位置が前記電子ディスプレイ上の同一位置（固定表示位置）に提示されるように、前記単語のうち少なくともいずれかを表示する手段、
を備えることを特徴とするディスプレイ装置。
【請求項４４】
前記テキストデータを少なくとも単語と文へパースする手段、
第１文と第２文との間にブランク要素を表示する手段であって、前記ブランク要素の表示時間が前記第１文内の単語数に少なくとも部分的に依拠する、手段、
を備えることを特徴とする請求項４３記載のディスプレイ装置。
【請求項４５】
前記方法はさらに、前記複数の表示要素それぞれを、個々の前記表示要素内の文字長（表示要素長）に少なくとも部分的に依拠する表示時間だけ表示するステップを有する
ことを特徴とする請求項１から１１いずれか１項記載の方法。
【請求項４６】
前記テキストデータは、少なくとも単語と文にパースされ、
前記方法はさらに、第１文の終端と第２文の開始との間に、前記第１文の単語数によって少なくとも部分的に定められる表示時間だけ、ブランク要素を表示するステップを有する
ことを特徴とする請求項２から１１いずれか１項記載の方法。
【請求項４７】
１３文字超の単語は第１および第２表示要素に分割され、
前記第１表示要素は前記単語の第１部分とハイフンを含み、
前記第２要素は前記単語の第２部分を含み、
前記方法はさらに、前記第１表示要素と前記第２表示要素を順次表示するステップを有する
ことを特徴とする請求項１から１５いずれか１項記載の方法。
【請求項４８】
前記命令はさらに、前記テキストを複数の表示要素へ分割するステップを有する
ことを特徴とする請求項２８から３７いずれか１項記載のコンピュータプログラム製品。
【請求項４９】
前記命令はさらに、前記テキストを複数の表示要素へ分割するステップを有し、
前記テキストを複数の表示要素へ分割するステップは、１３文字超の単語について、少なくとも第１および第２表示要素へ分割するステップを有し、前記第１表示要素は前記単語の第１部分とハイフンを含み、前記第２表示要素は前記単語の第２部分を含む
ことを特徴とする請求項２８から３７いずれか１項記載のコンピュータプログラム製品。